(57)【要約】【課題】移動が困難な要介護者等も含めて、津波から避難者をより安全に保護できる津波対策ベッドを提供する。【解決手段】開閉可能に連結された複数の分割体からなる外殻２と、この外殻２の内側に配置されるベッド４とを備え、前記外殻２を開いている際には前記ベッド４が平置きされるとともに、このベッド４の上方が開放された状態であり、前記外殻２を閉じた際には前記ベッド４の少なくとも一部が平置きされた状態のまま、この外殻２の内側が水密に密閉されて浮体になる構成にしたことを特徴とする津波対策ベッド１。【選択図】図１
2015054551.tif 000002
【特許請求の範囲】
【請求項１】
開閉可能に連結された複数の分割体からなる外殻と、この外殻の内側に配置されるベッドとを備え、
前記外殻を開いている際には前記ベッドが平置きされるとともに、このベッドの上方が開放された状態であり、
前記外殻を閉じた際には前記ベッドの少なくとも一部が平置きされた状態のまま、この外殻の内側が水密に密閉されて浮体になる構成にしたことを特徴とする津波対策ベッド。
【請求項２】
前記外殻が箱状体であり、この箱状体の一方側面部分を構成する板状部が前記分割体の１つであり、この板状部の下端部が前記外殻を構成する残りの分割体に回転可能に連結されていて、
この板状部を前記箱状体外側に水平に展開させて前記外殻を開いている際には、この板状部の上面となる面に前記ベッドの少なくとも一部が平置きされていて、
この板状部をその下端部を中心に回転させて前記残りの分割体に組み付けて前記外殻を閉じた際には、前記ベッドの一部が平置きされた状態のまま前記外殻の内側に収容される請求項１に記載の津波対策ベッド。
【請求項３】
前記外殻が両端面を有する筒状体であり、この筒状体の周面の一部の少なくとも上側部分を構成する周面板部が前記分割体の少なくとも１つであり、この周面板部が前記外殻を構成する残りの分割体に対して筒軸方向にスライド可能に連結されていて、
この周面板部を筒軸方向にスライドさせて前記外殻を開いている際には、この外殻の内側に前記ベッドが平置きされていて、
この周面板部を閉鎖位置にスライドさせて前記残りの分割体に組み付けて前記外殻を閉じた際には、前記ベッドがその平置きされた状態のまま前記外殻の内側に収容される請求項１に記載の津波対策ベッド。
【請求項４】
前記複数の分割体が、互いの対向する一辺どうしが回転可能に連結された左右一対の分割体であり、
この左右一対の分割体をそれぞれ左右に展開させて前記外殻を開いている際には、前記ベッドがこの左右一対の分割体を跨いで平置きされていて、
この左右一対の分割体を前記互いの対向する一辺どうしを中心に回転させ互いを組み付けて前記外殻を閉じた際には、前記ベッドの少なくとも一部が平置きされた状態のまま前記外殻の内側に収容される請求項１に記載の津波対策ベッド。
【請求項５】
前記外殻が箱状体であり、この箱状体の上面を含む蓋部が前記分割体の１つであり、この蓋部の一端部が前記外殻を構成する残りの分割体に回転可能に連結されていて、
この蓋部を前記箱状体外側に展開させて前記外殻を開いている際には、前記残りの分割体の内側に前記ベッドが平置きされていて、
この蓋部をその一端部を中心に回転させて前記残りの分割体に組み付けて前記外殻を閉じた際には、前記ベッドがその平置きされた状態のまま前記外殻の内側に収容される請求項１に記載の津波対策ベッド。
【発明の詳細な説明】
【技術分野】
【０００１】
本発明は、津波等から避難者を保護する津波対策ベッドに関するものである。
【背景技術】
【０００２】
津波対策として、様々な津波避難シェルターが提案されている（例えば特許文献１参照）。このシェルターにより、高台等への移動が困難な地域であっても、津波から避難者を保護できる。
【０００３】
しかし、この種の従来提案されているシェルターには問題点がある。この種のシェルターを設置していても、津波発生時には、シェルターまで急いで移動して避難しなければならない。しかしながら、避難時間は十分にある訳ではなく、移動の困難な要介護者や高齢者等は、津波が到来するまでにシェルターまで移動することができない。さらには、シェルターの設置場所の確保が困難であるため、シェルターの普及が進んでいない。それ故、シェルターまでの避難時間が長くなるという悪循環が生じ、津波から避難者をより安全に保護するには抜本的な対策が必要とされている。
【先行技術文献】
【特許文献】
【０００４】
【特許文献１】特開２０１３−８６７８９号公報
【発明の概要】
【発明が解決しようとする課題】
【０００５】
本発明は、上記の問題を鑑みてなされたものであり、その目的は、移動が困難な要介護者等も含めて、津波から避難者をより安全に保護できる津波対策ベッドを提供することである。
【課題を解決するための手段】
【０００６】
上記の目的を達成するための本発明に係る津波対策ベッドは、開閉可能に連結された複数の分割体からなる外殻と、この外殻の内側に配置されるベッドとを備え、前記外殻を開いている際には前記ベッドが平置きされるとともに、このベッドの上方が開放された状態であり、前記外殻を閉じた際には前記ベッドの少なくとも一部が平置きされた状態のまま、この外殻の内側が水密に密閉されて浮体になる構成にしたことを特徴とする。
【発明の効果】
【０００７】
本発明によれば、平常時には外殻を開いた状態にしてベッドとして使用し、津波発生時には外殻を閉じて津波対策ベッドとして使用できる。平常時はベッドとして利用するので、所望の身近な場所に設置でき、これにより、移動が困難な要介護者等であっても津波対策ベッドへの避難時間を極限的に短縮することが可能となり、一段と安全性が向上する。また、平常時にはベッドの上方が開放された状態になるので、ベッドの使用者は圧迫感を受けずに寝ることができる。
【０００８】
津波発生時に外殻を閉じる際には、開閉可能に連結された分割体を閉鎖すればよいので、迅速に外殻を閉じることができ、安全性の向上には益々有利である。しかも、外殻を閉じた際にはベッドの少なくとも一部が平置きされた状態のままになるので、避難者をベッドに安定して乗せたまま外殻を閉じることができる。外殻を閉じて内側が水密に密閉されると、津波が到来しても津波対策ベッドが浮体として浮き続けるので、避難者を、救助されるまでの間この津波対策ベッドの中で安全に保護することができる。
【０００９】
本発明の津波対策ベッドは、例えば前記外殻が箱状体であり、この箱状体の一方側面部分を構成する板状部が前記分割体の１つであり、この板状部の下端部が前記外殻を構成する残りの分割体に回転可能に連結されていて、この板状部を前記箱状体外側に水平に展開させて前記外殻を開いている際には、この板状部の上面となる面に前記ベッドの少なくとも一部が平置きされていて、この板状部をその下端部を中心に回転させて前記残りの分割体に組み付けて前記外殻を閉じた際には、前記ベッドの一部が平置きされた状態のまま前記外殻の内側に収容される構成とすることもできる。
【００１０】
この構成によれば、外殻を開いている際には、箱状体外側に水平に展開された板状部の上面にベッドの少なくとも一部が平置きされているので、ベッドを平置きするスペースを確保しやすくなる。また、ベッドの上方をより広く開放された状態にすることができるので、ベッドの使用者が寝る際の圧迫感を低減するには一段と有利である。
【００１１】
本発明の津波対策ベッドは、例えば前記外殻が両端面を有する筒状体であり、この筒状体の周面の一部の少なくとも上側部分を構成する周面板部が前記分割体の少なくとも１つであり、この周面板部が前記外殻を構成する残りの分割体に対して筒軸方向にスライド可能に連結されていて、この周面板部を筒軸方向にスライドさせて前記外殻を開いている際には、この外殻の内側に前記ベッドが平置きされていて、この周面板部を閉鎖位置にスライドさせて前記残りの分割体に組み付けて前記外殻を閉じた際には、前記ベッドがその平置きされた状態のまま前記外殻の内側に収容される構成とすることもできる。
【００１２】
この構成によれば、周面板部を筒軸方向にスライドさせることで、外殻を閉じることができるので、より迅速に外殻を閉じることができ、安全性が一段と向上する。また、平置きされたベッドをそのままの状態に維持しつつ外殻の開閉ができるので、避難者をより安全に安定した状態で保護することができる。
【００１３】
本発明の津波対策ベッドは、例えば前記複数の分割体が、互いの対向する一辺どうしが回転可能に連結された左右一対の分割体であり、この左右一対の分割体をそれぞれ左右に展開させて前記外殻を開いている際には、前記ベッドがこの左右一対の分割体を跨いで平置きされていて、この左右一対の分割体を前記互いの対向する一辺どうしを中心に回転させ互いを組み付けて前記外殻を閉じた際には、前記ベッドの少なくとも一部が平置きされた状態のまま前記外殻の内側に収容される構成とすることもできる。
【００１４】
この構成によれば、外殻を開いている際には、左右に展開している左右一対の分割体を跨いでベッドが平置きされているので、ベッドを平置きするスペースを広く確保し易くなる。また、ベッドの上方をより広く開放された状態にすることができるので、ベッドの使用者が寝る際の圧迫感を低減するには一段と有利である。
【００１５】
本発明の津波対策ベッドは、例えば前記外殻が箱状体であり、この箱状体の上面を含む蓋部が前記分割体の１つであり、この蓋部の一端部が前記外殻を構成する残りの分割体に回転可能に連結されていて、この蓋部を前記箱状体外側に展開させて前記外殻を開いている際には、前記残りの分割体の内側に前記ベッドが平置きされていて、この蓋部をその一端部を中心に回転させて前記残りの分割体に組み付けて前記外殻を閉じた際には、前記ベッドがその平置きされた状態のまま前記外殻の内側に収容される構成とすることもできる。
【００１６】
この構成によれば、蓋部をその一端部を中心に回転させることで外殻を閉じることができるので、より迅速に外殻を閉じることができ、安全性が一段と向上する。また、平置きされたベッドをそのままの状態に維持しつつ外殻の開閉ができるので、避難者をより安全
に安定した状態で保護することができる。
【図面の簡単な説明】
【００１７】
【図１】外殻を開いた状態の本発明の津波対策ベッドを例示する斜視図である。
【図２】図１の外殻を閉じている途中の津波対策ベッドを例示する斜視図である。
【図３】図１の外殻を閉じた状態の津波対策ベッドを例示する斜視図である。
【図４】ベッドの変形例を示し、図４（ａ）は外殻を開いた状態、図４（ｂ）は外殻を閉じた状態の津波対策ベッドの正面図である。
【図５】津波対策ベッドの別の実施形態を例示する側面図である。
【図６】図５の津波対策ベッドの正面図である。
【図７】図５の外殻を閉じた状態の津波対策ベッドを例示する側面図である。
【図８】外殻の変形例を示す津波対策ベッドの斜視図である。
【図９】津波対策ベッドの別の実施形態を例示する斜視図である。
【図１０】図９のベッドを支持部材により支持した状態の津波対策ベッドを例示する正面図である。
【図１１】図１０の支持部材を取り外した状態の津波対策ベッドを例示する正面図である。
【図１２】図１１の外殻を閉じた状態の津波対策ベッドを例示する正面図である。
【図１３】津波対策ベッドの別の実施形態を例示する側面図である。
【図１４】図１３の外殻の変形例を示す津波対策ベッドの側面図である。
【発明を実施するための形態】
【００１８】
以下、本発明の津波対策ベッドを図に示した実施形態に基づいて説明する。
【００１９】
図１〜３に例示するように、本発明の津波対策ベッド１は、外殻２と、外殻２の内側に配置されるベッド４とを備えている。この実施形態では、外殻２が略直方体の箱状体である。この外殻２は、一方側面部分を構成する板状部３ｂ（一方の分割体）と、この板状部３ｂを除いた収容部３ａ（他方の分割体）とで構成されている。
【００２０】
板状部３ｂの下端部は、連結部１２を介して収容部３ａに回転可能に連結されている。この板状部３ｂを、その下端部を中心に回転させて外殻２の外側に展開させることにより外殻２は開いた状態となる。即ち、外殻２は回転可能に連結された複数の分割体により形成されている。
【００２１】
板状部３ｂを水平に展開させると、その際に板状部３ｂの下面となる面から延設された支柱１３の下端が床面に当接し、板状部３ｂは支柱１３により支持される。このように水平に展開されている板状部３ｂの上面にベッド４の少なくとも一部が平置きされる。平置きとは、ベッド４の上で人が困難なく寝ることができる程度の平坦性を有することを意味する。この実施形態では、板状部３ｂの上面にベッド４全体が平置きされているが、ベッド４の一部が板状部３ｂの上面に平置きされ、ベッド４の他の部分が収容部３ａに平置きされた構成にすることもできる。
【００２２】
このベッド４は、板状部３ｂに固定された固定ベッド部４ａと、板状部３ｂの上にスライド可能に設置された移動ベッド部４ｂとで構成されている。移動ベッド部４ｂの収容部３ａ側の端面には、落下防止ボード１８が立設されている。移動ベッド部４ｂは、固定ベッド部４ａに隣接した位置から収容部３ａに向かってスライドできる。落下防止ボード１８も移動ベッド部４ｂと共にスライドする。収容部３ａの内部空間には、スライドしてきた移動ベッド部４ｂを支持する支持体１９が架け渡されている。
【００２３】
この実施例ではさらに、収容部３ａの下面には車輪１６が設置され、側面には窓６及び
ハンドル１７が設置されている。また、収容部３ａの上面には圧力弁８が設置されている。収容部３ａの内側の底部にはバラストタンク５が設置されている。
【００２４】
板状部３ｂを水平に展開させた際には、ベッド４の上方は開放された状態になる。開放された状態とは、ベッド４が外殻２により覆われることなく、オープンエアの状況下にあることを意味する。平常時は、このように外殻２を開いた状態にして津波対策ベッド１をベッド４として使用する。ベッド４として使用するので、津波対策ベッド１は所望の身近な場所に設置できる。例えば、寝室等に津波対策ベッド１が設置されるので、移動が困難な要介護者や高齢者等であっても津波対策ベッド１への避難時間を極限的に短縮することが可能になり、一段と安全性が向上する。
【００２５】
ベッド４は収容部３ａの内部ではなく側方に突出されて配置されるので、上述したようにベッド４の上方が開放された状態になり、ベッド４の使用者は圧迫感を受けずに寝ることができる。移動ベッド部４ｂは後述するように、外殻２を閉じた際には平置きされた状態のままで外殻２の内側に収容されるので、その幅は収容部３ａの幅によって制約を受け、十分な広幅にすることが困難である。しかしながら、この実施形態では、固定ベッド部４ａと移動ベッド部４ｂとを組み合わせることにより、十分に広幅のベッド４を確保している。また、落下防止ボード１８を設けておくと、ベッド４で寝ている人が収容部３ａ側に落下することを防止できる。
【００２６】
津波等が発生した緊急時には、外殻２を閉じて、ベッド４の少なくとも一部が平置きされた状態のまま、外殻２の内側が水密に密閉されて津波対策ベッド１は浮体となる。閉じられた外殻２の水密性を確保するために、収容部３ａと板状部３ｂとの境界部等にシール材が配置される。この実施形態では、外殻２を閉じる際には、例えば健常な介護者等が、避難者が乗っている移動ベッド部４ｂを平置きされた状態のまま収容部３ａの内部空間までスライドさせる。
【００２７】
次いで、介護者等が、板状部３ｂをその下端部を中心にして回転させて跳ね上げることにより収容部３ａに組み付けて外殻２を閉じた状態にする。これにより、移動ベッド部４ｂは平置きされた状態のまま外殻２の内側に収容される。固定ベッド部４ａは板状部３ｂに固定されたまま外殻２の内側に収容される。避難者は、固定ベッド部４ａに載った状態で外殻２の内側に収容される。収容部３ａと板状部３ｂとは、閉じた外殻２が容易に開かないように組み付けられて強固にロックされる。
【００２８】
ここで、例えば、連結されていない複数の部材により外殻が構成されている場合は、分離している部材どうしを組み付けて外殻を閉じる必要がある。ところが、津波等の緊急時には十分な作業時間がなく、心理的にも余裕がないため、分離している部材どうしを冷静に組み付けることができない。一方、本発明では、外殻２を閉じる際には、収容部３ａに回転可能に連結されている板状部３ｂを回転させて収容部３ａに組み付けて、収容部３ａの開口を閉鎖すればよい。このように、迅速に外殻２を閉じることができるので、安全性の向上には益々有利である。
【００２９】
しかも、外殻２を閉じた際には移動ベッド部４ｂが平置きされた状態のままになるので、避難者を移動ベッド部４ｂに安定して載せたまま外殻２を閉じることが可能である。外殻２を閉じて内側が水密に密閉されれば、津波等が到来しても津波対策ベッド１が浮体として浮き続けるので、避難者は救助されるまで津波対策ベッド１の中で安全に保護される。
【００３０】
外殻２を閉じた介護者等は、その後、安全な避難場所に移動して避難する。ここで、例えば、水平に展開された板状部３ｂの上面に、開閉用の取手を設けて、収容部３ａの内側
からも外殻２を閉じる作業が可能な構成にすることもできる。この構成によれば、介護者等に安全な避難場所に移動する時間がない場合、介護者等が自ら収容部３ａの内側に入った状態で、開閉用の取手を用いて外殻２を閉じることができるので、水密に密閉された外殻２の内側で安全に保護される。
【００３１】
津波対策ベッド１が津波による海水等に浮いて揺動した際には、固定ベッド部４ａは、避難者が板状部３ｂに直接衝突することを防止する緩衝材として機能する。また、柔軟性を有する落下防止ボード１８を採用すれば、落下防止ボード１８を、避難者が収容部３ａの側面に直接衝突することを防止する緩衝材として機能させることができる。
【００３２】
収容部３ａの内側の底部に設置したバラストタンク５にバラスト水等の重量物を充填しておけば、バラスト水等の重量によって津波対策ベッド１の重心位置が下方に移動する。これにより、津波対策ベッド１が反転する等、津波による海水等に浮いている際の津波対策ベッド１の姿勢が不安定になることを回避するには有利になる。これに伴い、移動ベッド部４ｂの上で救助を待っている避難者をより安全に保護することができる。
【００３３】
収容部３ａに車輪１６やハンドル１７を設置すると、津波対策ベッド１を設置する際の搬送や移動に便利である。外殻２に窓６があると、避難者が津波対策ベッド１の外部の様子を確認することができる。水密に密閉された外殻２の内側に適時、外気を取り込むために、外殻２に開閉可能な給気弁を設けることが好ましい。
【００３４】
津波対策ベッド１が家屋ごと水没した際の避難者の安全を向上するために、収容部３ａの内側に酸素供給装置を設置することもできる。この酸素供給装置により、津波対策ベッド１が長時間水没するような事態に遭遇したとしても、避難者の安全を確保することができる。酸素供給装置は、例えば、移動ベッド部４ｂが収容部３ａの内側にスライドされたこと、又は板状部３ｂが収容部３ａに組み付けられたこと等を入力信号として、自動的に起動して酸素を供給するように構成する。津波対策ベッド１内に充満した二酸化炭素により酸素の供給が妨げられないように、二酸化炭素吸収材（例えば炭酸ガス吸収キャニスター）を設置するとよい。望ましくは、この実施形態のように、二酸化炭素の増加に伴う津波対策ベッド１内の圧力上昇により自動的に排気できる圧力弁８を外殻２に設置する。この圧力弁８は、特別な操作等が不要であるため、特に炭酸ガス吸収キャニスター等の操作が困難な避難者であっても、その安全を確保することができる。
【００３５】
津波対策ベッド１には、津波等が到来した後での探索を容易にするためのＳＯＳ遭難信号発信器や、避難者の健康を維持するための非常食及びミネラルウォーター等を設置することが望ましい。
【００３６】
本発明の津波対策ベッド１は、津波に限らず、河川の決壊による鉄砲水、高潮等の災害に対しても避難者を安全に保護することができる。
【００３７】
図４に例示するように、ベッド４は、移動ベッド部４ｂと、移動ベッド部４ｂの収容部３ａ側に傾動可能に設置された傾斜ベッド部４ｃとを有する構成としてもよい。この傾斜ベッド部４ｃは、平常時においては、図４（ａ）に示すように落下防止ボード１８と同様の働きをする。緊急時においては、図４（ｂ）に示すように移動ベッド部４ｂのスライドにともない上面側に傾斜して収容部３ａの内側に収まり、外殻２の内側にいる避難者が収容部３ａの側面に直接衝突することを防止する緩衝材として機能させることができる。
【００３８】
図５〜７に例示する実施形態の津波対策ベッド１は、外殻２が両端面を有する円筒形状の筒状体で構成されたシリンダ型津波対策ベッドである。この外殻２は、筒状体の周囲の少なくとも上側部分を構成する少なくとも１つの周面板部３ｃ（一方の分割体）と、この周面板部３ｃを除いた収容部３ａ（他の分割体）とで構成されている。この実施形態では
３つの周面板部３ｃを有しているが、周面板部３ｃは適宜の数にすることができる。
【００３９】
３つの周面板部３ｃは、外殻２の両端面を形成する収容部３ａに対して筒軸方向（図５左右方向）にスライド可能に連結されており、その内径が少しずつ異なる円環状に構成され且つ互いに重ねられるように構成されている。この周面板部３ｃを、筒軸方向にスライドさせることにより外殻２は開いた状態になる。即ち、外殻２は、移動しない側の分割体（収容部３ａ）と移動しない側に対してスライド可能に組み付けられた複数の分割体（周面板部３ｃ）により形成されている。
【００４０】
外殻２の内部には、その両端面を構成する収容部３ａを互いに連結する支持体１９が架け渡されている。支持体１９は、上面が略水平に構成され、この上面にベッド４が固定されている。複数の周面板部３ｃを筒軸方向一方向に移動させると、各周面板部３ｃは、支持体１９に沿って移動して互いに重なり合い、外殻２の内側に配置されたベッド４が露出する。このとき、各周面板部３ｃが移動するだけで収容部３ａと、支持体１９及びベッド４の位置は変化しない。
【００４１】
この実施形態ではさらに、収容部３ａの内部に酸素供給装置７が設置され、支持体１９の内部にはバラストタンク５が設置されている。また、外殻２は、下方に延びる脚２２により支持されて床面上に設置されている。収容部３ａには、周面板部３ｃを固定するためのクランプ２３が設置されている。支持体１９にレールを設置して、このレールに沿って周面板部３ｃが移動する構成としてもよい。
【００４２】
平常時は、環状に形成された複数の周面板部３ｃを筒軸方向に移動させて重ね合わせて、外殻２を開いた状態にして津波対策ベッド１をベッド４として使用する。この構成によれば、ベッド４はその上方に加え、両側方も開放された状態となり、ベッド４の使用者が寝る際の圧迫感を低減するには一段と有利となる。この津波対策ベッド１は、外殻２の開閉に必要なスペースが極めて小さくて済むので、周囲の家具等と干渉し難くなり、家屋等の所望の場所に設置できる。図５において、周面板部３ｃは一方向（図５左方）にスライドした状態を例示しているが、左右方向に分かれてスライドする構成としてもよい。
【００４３】
津波等が発生した緊急時には、外殻２を閉じて、ベッド４の全体が平置きされた状態のまま、外殻２の内側に水密に密閉されて津波対策ベッド１は浮体となる。閉じられた外殻２の水密性を確保するために、収容部３ａと周面板部３ｃとの境界部及び周面板部３ｃどうしの境界部等にシール材が配置される。この実施形態では、外殻２を閉じる際には、例えば健常な介護者等が、複数の周面板部３ｃを閉鎖位置にスライドさせて残りの分割体である収容部３ａに組み付けて外殻２を閉じた状態にする。これにより、ベッド４は支持体１９上から動くことなく、平置きされた状態のまま外殻２の内側に収容される。収容部３ａと周面板部３ｃとは、閉じた外殻２が容易に開かないように、収容部３ａに設置されたクランプ２３により強固にロックされる。
【００４４】
この実施形態では、外殻２を閉じる際には、複数の周面板部３ｃを筒軸方向にスライドさせて収容部３ａに組み付けて、収容部３ａの開口を閉鎖すればよいため、より迅速に外殻２を閉じることができ、安全性の向上には益々有利である。周面板部３ｃを筒軸方向（水平方向）にスライドさせる構成なので、外殻２を閉じる作業を行う介護者等が、周面板部３ｃの重量の影響を大きく受けずに小さな力で外殻２を閉じることができる。また、外殻２を閉じる際に、ベッド４及びベッド４上の避難者の位置が変化しない構成なので、避難者の重量の影響を受けずに小さな力で外殻２を閉じることができる。特に、外殻２を閉じる人が高齢者等である場合に有利である。
【００４５】
外殻２を閉じる際にベッド４上の避難者の位置が変化しないことにより、避難者を安全
に安定した状態で保護することができる。例えば避難者が点滴や呼吸器等を使用している場合、外殻２を閉じる際にこれらの機器が外れる事故を防止できる。外殻２を閉じた際の外形を円筒形状とすると、外殻２の外部からの衝撃に対する耐久性が向上するので安全性が高まる。
【００４６】
ここで、例えば前述の実施形態と同様に、周面板部３ｃの内側に開閉用の取手を設けて、ベッド４上から外殻２を閉じる作業が可能な構成にすることもできる。また、津波対策ベッド１にバラストタンク、圧力弁及び窓を設置するなお、前述の実施形態と同様のアレンジをすることができる。
【００４７】
筒状体の外殻２は、円筒形状に限らず様々な形状にすることができ、図８に例示するように外形を直方体形状に構成してもよい。この際、周面板部３ｃは、外殻２の上面及び側面の一部を有する構成としてもよい。また、収容部３ａに対してスライド可能に設置される周面板部３ｃを１つとしてもよい。分割体の一部である周面板部３ｃは、残りの分割体である収容部３ａに設置されたレール３１に沿って水平方向にスライド可能に設置されている。周面板部３ｃが環状ではなく環状の一部を形成する構成や、周面板部３ｃをコンパクトに構成して、スライドさせるべき周面板部３ｃの重量を低減することで、外殻２をより小さな力で閉じることが可能となる。
【００４８】
周面板部３ｃをスライドして外殻２を開いた際に、周面板部３ｃが外殻２の筒軸方向端面からはみ出す構成としてもよい。この構成によれば、外殻２を開く場合にスペースが必要となるが、ベッド４の上方及び側方をより広く開放できるので、ベッド４で寝る際の圧迫感を更に低減できる。
【００４９】
図９〜１２に例示する実施形態の津波対策ベッド１は、外殻２が左右一対の分割体３ｄ、３ｅで構成されたクライムシェル型津波対策ベッドである。この外殻２は、互いの対向する一辺どうしが回転可能に連結された左側の分割体３ｄ及び右側の分割体３ｅで構成されている。
【００５０】
外殻２を閉じた際に下端部となる左側の分割体３ｄと右側の分割体３ｅの一辺どうしは、連結部１２を介して連結されている。この左側の分割体３ｄ及び右側の分割体３ｅを、その下端部を中心に回転させて左右に展開させることにより外殻２は開いた状態になる。
【００５１】
それぞれの分割体３ｄ、３ｅを左右に展開させると、それぞれの分割体３ｄ、３ｅの側面にあたる部分が床面に当接し、外殻２は開いた状態となる。このように展開されている左右一対の分割体３ｄ、３ｅを跨いで、その開口部を塞ぐ位置にベッド４が平置きされる。
【００５２】
この実施形態ではさらに、左側の分割体３ｄ及び右側の分割体３ｅの例えば端面側壁にエアシリンダー４２等の固定具が設置され、不用意に外殻２が閉じないように互いに固定されている。分割体３ｄ、３ｅの一端には内側から外側に膨出する膨出部４３が形成されている。
【００５３】
平常時は、垂直な面で左右に分割された分割体３ｄ、３ｅを左右に展開して外殻２を開いた状態にして、津波対策ベッド１をベッド４として使用する。この構成によれば、分割体３ｄ、３ｅを左右に展開して外殻２を開き、分割体３ｄ、３ｅを跨ぐようにこの開口部にベッド４を平置きする構成なので、ベッド４を平置きするスペースを広く確保し易くなり、横幅のより大きいベッド４を配置することができる。また、ベッド４の上方を完全に開放することができ、ベッド４で寝る際の圧迫感を大幅に低減することができる。特に、開いた状態の外殻２の上端面近傍と同じ高さにベッド４を配置した場合は、ベッド４の側
方も開放することができ、ベッド４で寝る際の圧迫感を更に低減することができる。
【００５４】
津波等が発生した緊急時には、外殻２を閉じて、ベッド４の少なくとも一部が平置きされた状態のまま、外殻２の内側が水密に密閉されて津波対策ベッド１は浮体となる。閉じられた外殻２の水密性を確保するために、左側の分割体３ｄと右側の分割体３ｅとの境界部等にシール材が配置される。図１０に例示した実施形態では、エアシリンダー４２の代わりに、床面に対してベッド４の高さを維持する支持台４４を固定具として使用している。この実施形態では、外殻２を閉じる際には、例えば健常な介護者等が、ベッド４に避難者が載っている状態で、そのベッド４及び避難者を支持していた支持台４４を取り除く。
【００５５】
次いで、介護者等が、左側の分割体３ｄ及び右側の分割体３ｅを、連結部１２を中心にして回転させてベッド４の左右方向から挟み込むように接近させ互いに組み付けて外殻２を閉じた状態にする。この分割体３ｄ、３ｅの回転作業は、例えば介護者等が２つの分割体３ｄ、３ｅの上方の一辺を互いに接近させるように直接分割体３ｄ、３３に力を加えたり、ベッド４とともに連結部１２を下方に押込んで連結部１２の下降に伴って生じる回転力を利用したりして行うことができる。これにより、ベッド４の少なくとも一部は平置きされた状態のまま外殻２の内側に収容される。この実施形態のように外殻２が閉じた際に、避難者の頭部に対応する部分に膨出部４３を配置しておくと、津波対策ベッド１内に避難した避難者の圧迫感を軽減できる。
【００５６】
ベッド４を下方に押込んで分割体３ｄ、３ｅを回転させる場合、ベッド４及び避難者等の自重を利用して分割体３ｄ、３ｅを回転できるため、外殻２を閉じる作業は迅速かつ容易に行うことができる。また、外殻２を開いた状態に固定する固定具をエアシリンダー４２等のダンパーで構成した場合、外殻２が閉じる際に分割体３ｄ、３ｅに任意の抵抗を与えることができるため、分割体３ｄ、３ｅが回転する速度が速すぎて介護者や避難者等に危険が生じるような事態を防止できる。
【００５７】
図１２に例示するように、ベッド４は、ベッド中央部４ｄと、その幅方向両側に配置されたベッド側部４ｅとで構成することもできる。それぞれのベッド側部４ｅは、上面側にのみ傾動可能にベッド中央部４ｄに連結され、外殻２が閉じる際にそれぞれの分割体３ｄ、３ｅの内側側面に沿って傾斜する。この構成によれば、外殻２の内面形状にかかわらず、平常時のベッド４の横幅を大きくすることができる。また、津波対策ベッド１が津波による海水等に浮いて揺動した際には、避難者と分割体３ｄ、３ｅの内側側面の間に配置されるベッド側部４ｅが、避難者が分割体３ｄ、３ｅの内側側面に直接衝突することを防止する緩衝材として機能する。
【００５８】
それぞれのベッド側部４ｅの幅方向一端部を、対抗する分割体３ｄ、３ｅの内側側面に連結し、ベッド側部４ｅの傾動を固定具で固定し、平置きされたベッド４が外殻２を開いた状態に維持する構成にすることもできる。この構成により、ベッド４を既述したエアシリンダー４２のような固定具として機能させることができる。
【００５９】
ベッド側部４ｅの傾動を固定する固定具は、例えばベッド中央部４ｄ及びベッド側部４ｅの下面側を連結ワイヤ又は連結プレート等で緊縛し、ボタン操作によりこの緊縛が解除されてベッド側部４ｅの固定を解除する構成とする。これにより、避難者はボタン操作により、ベッド側部４ｅを傾斜させ、ベッド４及び避難者の自重によりベッド４が下降して、外殻２を自動的に閉じることができる。このため、介護者が不在の場合であっても、避難者は容易に津波対策ベッド１内に避難することができ、安全性を向上することができる。同様に、図９に例示したエアシリンダー４２内の圧力の開放をボタン操作で行えるように構成すれば、介護者が不在の場合であっても、避難者は容易に津波対策ベッド１内に避難できる。
【００６０】
図１３に例示する実施形態の津波対策ベッド１は、外殻２が略直方体形状の箱状体である。この外殻２は、この箱状体の上面の少なくとも一部を含む蓋部３ｆ（一方の分割体）と、この蓋部３ｆを除いた収容部３ａ（他方の分割体）とで構成されている。
【００６１】
この実施形態では、蓋部３ｆは、外殻２の上面の一部に加えて三方の側面の一部を含んでおり、その長手方向一端部が、連結部１２を介して収容部３ａに回転可能に連結されている。この蓋部３ｆを、その一端部（連結部１２）を中心に回転させて外殻２の外側に展開させることにより、外殻２は開いた状態になる。即ち、外殻２は回転可能に連結された複数の分割体により形成されている。
【００６２】
蓋部３ｆを上方に展開させると、蓋部３ｆは、蓋部３ｆと収容部３ａを連結するエアシリンダー等の支持機構５２で支持される。収容部３ａの内側にはベッド４全体が平置きされている。この実施形態ではさらに、前述と同様に、窓６が設置されている。また、収容部３ａの内部にバラストタンクや酸素供給装置を配置するなど、既述した実施形態と同様のアレンジをすることができる。
【００６３】
平常時は、蓋部３ｆを外殻２の外側に展開して外殻２を開いた状態にして、津波対策ベッド１をベッド４として使用する。蓋部３ｆは水平に対して７０°〜９０°程度展開できる構成にする。蓋部３ｆが外殻２の上面に加えて三方の側面を含むことにより、ベッド４の上面及び側面が開放された状態になり、ベッド４の使用者は圧迫感を受けずに寝ることができる。
【００６４】
津波等が発生した緊急時には、外殻２を閉じて、ベッド４の全体が平置きされた状態のまま、外殻２の内側が水密に密閉され津波対策ベッド１は浮体となる。閉じられた外殻２の水密性を確保するために、収容部３ａと蓋部３ｆとの境界部等にシール材５３が配置される。この実施形態では、外殻２を閉じる際には、例えば健常な介護者等が、支持機構５２による蓋部３ｆの支持を解除して、蓋部３ｆをその一端部を中心にして回転させて収容部３ａに組み付けて強固にロックする。
【００６５】
この実施形態では、蓋部３ｆの自重を利用してその一端部を中心に回転させて外殻２を閉じることができるので、より迅速に且つ小さな力で外殻２を閉じることができ、安全性の向上には益々有利である。外殻２を閉じる際にはベッド４の位置が変化しないので、避難者をベッド４に載せたまま安全に安定した状態で外殻２の内側で保護することができる。
【００６６】
支持機構５２をエアシリンダー等のダンパーで構成し、その内部の圧力の開放等をボタン操作で行えるように構成することもできる。この構成により、介護者が不在の場合であっても、避難者がボタン操作のみで容易に津波対策ベッド１内に避難することができる。
【００６７】
図１４に例示するように、収容部３ａに対して蓋部３ｆを回転可能に連結する連結部１２は、蓋部３ｆが回転するスペース等を考慮して、外殻２の任意の位置に設置することができる。
【００６８】
本発明の津波対策ベッド１は、いずれの実施形態においても、外殻２を閉じるための駆動装置等の動力を設置しなくてもよい。そのため、緊急時に停電等が発生した場合であっても、外殻２を閉じることができ、避難者を安全に保護することが可能である。
【符号の説明】
【００６９】
１     津波対策ベッド
２     外殻
３ａ   収容部
３ｂ   板状部
３ｃ   周面板部
３ｄ   左側の分割体
３ｅ   右側の分割体
３ｆ   蓋部
４     ベッド
【図１】
2015054551.tif 000003
【図２】
2015054551.tif 000004
【図３】
2015054551.tif 000005
【図４】
2015054551.tif 000006
【図５】
2015054551.tif 000007
【図６】
2015054551.tif 000008
【図７】
2015054551.tif 000009
【図８】
2015054551.tif 000010
【図９】
2015054551.tif 000011
【図１０】
2015054551.tif 000012
【図１１】
2015054551.tif 000013
【図１２】
2015054551.tif 000014
【図１３】
2015054551.tif 000015
【図１４】
2015054551.tif 000016